(57)【特許請求の範囲】
【請求項１】
データ未記録部分の絶対位置を示す絶対位置情報があらかじめ形成された、ＣＤ又はＤＶＤのデータフォーマットに準じた書き込み可能な各種光ディスクに対して、情報の記録及び再生を行う光ディスク装置において、
各種光ディスクから、上記絶対位置情報及び該絶対位置情報の信頼性を示す信頼性情報を読み出して復調する絶対位置情報復調部と、
各種光ディスクに記録されたデータから光ディスク上の位置を示す記録データ内位置情報及び該記録データ内位置情報の信頼性を示す信頼性情報を読み出して復調するデータ復調部と、
上記絶対位置情報復調部で復調された信頼性情報及び該データ復調部で復調された信頼性情報に応じて、絶対位置情報復調部で復調された絶対位置情報及びデータ復調部で復調された記録データ内位置情報のいずれかを光ディスクにおける現在の位置情報とする現在位置情報検出部と、
該現在位置情報検出部で決定された現在位置情報を基にして、光ディスクに対するデータ書き込み制御を行う書き込み制御部と、
を備え、
上記現在位置情報検出部は、絶対位置情報復調部で復調された絶対位置情報及びデータ復調部で復調された記録データ内位置情報に対して、復調時に生じた遅延を光ディスクのデータフォーマットに応じて補正することを特徴とする光ディスク装置。
【請求項２】
上記現在位置情報検出部は、光ディスクのデータフォーマットに応じて、絶対位置情報復調部からの上記絶対位置情報をなすビットデータをシフトさせることを特徴とする請求項１に記載の光ディスク装置。
【請求項３】
上記現在位置情報検出部は、絶対位置情報復調部及びデータ復調部から得られた各信頼性情報から、絶対位置情報復調部で復調された絶対位置情報及びデータ復調部で復調された記録データ内位置情報の内、エラーが検出されなかった位置情報を現在位置情報とすることを特徴とする請求項１又は請求項２のいずれかに記載の光ディスク装置。
【請求項４】
上記現在位置情報検出部は、絶対位置情報復調部及びデータ復調部からの各信頼性情報により、絶対位置情報復調部で復調された絶対位置情報及びデータ復調部で復調された位置情報にそれぞれエラーが検出されると、前回決定した現在位置情報から所定の方法で算出した位置情報を現在位置情報とすることを特徴とする請求項１から請求項３のいずれかに記載の光ディスク装置。
【請求項５】
上記絶対位置情報復調部及びデータ復調部は、ＤＶＤのデータフォーマットに準じた所定のデータ群における先頭データ後に続く各データの位置を示したそれぞれの絶対位置情報及び記録データ内位置情報に対して、エラーが有ることを示す信頼性情報をそれぞれ生成して出力することを特徴とする請求項４に記載の光ディスク装置。
【請求項６】
上記現在位置情報検出部は、絶対位置情報復調部で復調された絶対位置情報及びデータ復調部で復調された記録データ内位置情報の内、エラーが検出されなかった位置情報が、上記所定の方法で算出した位置情報と異なる場合、上記書き込み制御部に対して光ディスクへのデータ書き込み動作を禁止することを特徴とする請求項４又は請求項５のいずれかに記載の光ディスク装置。
【請求項７】
上記光ディスクは、ＣＤ−Ｒ、ＣＤ−ＲＷ、ＤＶＤ−Ｒ、ＤＶＤ−ＲＷ又はＤＶＤ＋ＲＷのいずれかの規格に準じていることを特徴とする請求項１から請求項６のいずれかに記載の光ディスク装置。
【発明の詳細な説明】
【０００１】
【発明の属する技術分野】
本発明は、ＣＤ−Ｒ／ＲＷ、ＤＶＤ−Ｒ／ＲＷ、ＤＶＤ＋ＲＷ等の書き込み可能な光ディスクに対する情報の記録及び再生を行う光ディスク装置に関する。
【０００２】
【従来の技術】
ＣＤ−Ｒ／ＲＷ、ＤＶＤ−Ｒ／ＲＷ、ＤＶＤ＋ＲＷ等の書き込み可能な光ディスクに対するデータの記録において、未記録部分に対する書き込み位置は、光ディスク上にあらかじめ記録されている絶対位置情報から得る。該絶対位置情報としては、ＣＤ−Ｒ／ＲＷの場合はＡＴＩＰ情報、ＤＶＤ−Ｒ／ＲＷの場合はＬＰＰ情報、ＤＶＤ＋ＲＷの場合はＡＤＩＰ情報が使用されている。また、追記等ですでにデータが書き込まれている場合、該データ記録部分に対する書き込み位置は、上記絶対位置情報に加えて、ＣＤ−Ｒ／ＲＷではサブコード情報から、ＤＶＤ−Ｒ／ＲＷ及びＤＶＤ＋ＲＷではＩＤ情報からもそれぞれ得ることができる。
【０００３】
ＣＤ−Ｒ／ＲＷにおいては、特開平１１−１１０７５８号公報で開示されているように、通常ＡＴＩＰ情報から書き込み位置を決定するが、追記等ですでにデータが書き込まれている場合、ウォブル信号の再生状態が悪くなることから、正常にＡＴＩＰ情報が得られない場合がある。このような場合は、特開平１０−２８９５２７号公報で開示されているように、書き込まれているデータから得られるサブコード情報にエラーが無ければ、該サブコード情報から書き込み位置を決定する。
【０００４】
【発明が解決しようとする課題】
しかし、ＤＶＤ−Ｒ／ＲＷのＬＰＰ情報及びＤＶＤ＋ＲＷのＡＤＩＰ情報は、ＣＤ−Ｒ／ＲＷのＡＴＩＰ時間情報とそれぞれフォーマットが異なり、ＬＰＰ情報とＡＤＩＰ情報も同一フォーマットではない。更に、ＩＤ位置情報においても、ＣＤ−Ｒ／ＲＷのサブコード時間情報とは同一フォーマットではない。特に、ＡＴＩＰ情報、ＬＰＰ情報及びＡＤＩＰ情報の大きな違いは、ＡＴＩＰ情報は１セクタごとの時間情報として記録されているが、ＬＰＰ情報は１６セクタごと、ＡＤＩＰ情報は４セクタごとの情報が記録されている。このように、ＣＤ−Ｒ／ＲＷ、ＤＶＤ−Ｒ／ＲＷ、ＤＶＤ＋ＲＷといった書き込み可能な各光ディスクのフォーマットには互換性がなく、１つの光ディスク装置で該各光ディスクに対してデータの再生及び記録を行うことができなかった。
【０００５】
本発明は、上記のような問題を解決するためになされたものであり、ＤＶＤ−Ｒ／ＲＷ及びＤＶＤ＋ＲＷにおいても、ＣＤ−Ｒ／ＲＷと同様に、位置情報処理及び書き込み処理を行えるようにして、ＣＤ−Ｒ／ＲＷ、ＤＶＤ−Ｒ／ＲＷ、ＤＶＤ＋ＲＷといった書き込み可能な各種光ディスクに対してデータの再生及び記録を行うことができる汎用性の高い光ディスク装置を得ることを目的とする。
【０００６】
【課題を解決するための手段】
この発明に係る光ディスク装置は、データ未記録部分の絶対位置を示す絶対位置情報があらかじめ形成された、ＣＤ又はＤＶＤのデータフォーマットに準じた書き込み可能な各種光ディスクに対して、情報の記録及び再生を行う光ディスク装置において、各種光ディスクから、絶対位置情報及び該絶対位置情報の信頼性を示す信頼性情報を読み出して復調する絶対位置情報復調部と、各種光ディスクに記録されたデータから光ディスク上の位置を示す記録データ内位置情報及び該記録データ内位置情報の信頼性を示す信頼性情報を読み出して復調するデータ復調部と、絶対位置情報復調部で復調された信頼性情報及び該データ復調部で復調された信頼性情報に応じて、絶対位置情報復調部で復調された絶対位置情報及びデータ復調部で復調された記録データ内位置情報のいずれかを光ディスクにおける現在の位置情報とする現在位置情報検出部と、該現在位置情報検出部で決定された現在位置情報を基にして、光ディスクに対するデータ書き込み制御を行う書き込み制御部とを備え、現在位置情報検出部は、絶対位置情報復調部で復調された絶対位置情報及びデータ復調部で復調された記録データ内位置情報に対して、復調時に生じた遅延を光ディスクのデータフォーマットに応じて補正するものである。
【０００７】
また、上記現在位置情報検出部は、光ディスクのデータフォーマットに応じて、絶対位置情報復調部からの上記絶対位置情報をなすビットデータをシフトさせるようにした。
【０００８】
具体的には、上記現在位置情報検出部は、絶対位置情報復調部及びデータ復調部から得られた各信頼性情報から、絶対位置情報復調部で復調された絶対位置情報及びデータ復調部で復調された記録データ内位置情報の内、エラーが検出されなかった位置情報を現在位置情報とするようにした。
【０００９】
更に、上記現在位置情報検出部は、絶対位置情報復調部及びデータ復調部からの各信頼性情報により、絶対位置情報復調部で復調された絶対位置情報及びデータ復調部で復調された位置情報にそれぞれエラーが検出されると、前回決定した現在位置情報から所定の方法で算出した位置情報を現在位置情報とするようにしてもよい。
【００１０】
一方、上記絶対位置情報復調部及びデータ復調部は、ＤＶＤのデータフォーマットに準じた所定のデータ群における先頭データ後に続く各データの位置を示したそれぞれの絶対位置情報及び記録データ内位置情報に対して、エラーが有ることを示す信頼性情報をそれぞれ生成して出力するようにした。
【００１１】
また、上記現在位置情報検出部は、絶対位置情報復調部で復調された絶対位置情報及びデータ復調部で復調された記録データ内位置情報の内、エラーが検出されなかった位置情報が、上記所定の方法で算出した位置情報と異なる場合、上記書き込み制御部に対して光ディスクへのデータ書き込み動作を禁止するようにしてもよい。
【００１２】
具体的には、上記光ディスクは、ＣＤ−Ｒ、ＣＤ−ＲＷ、ＤＶＤ−Ｒ、ＤＶＤ−ＲＷ又はＤＶＤ＋ＲＷのいずれかの規格に準じているものである。
【００１３】
【発明の実施の形態】
次に、図面に示す実施の形態に基づいて、本発明を詳細に説明する。
図１は、本発明の実施の形態における光ディスク装置の構成例を示したブロック図である。なお、図１では、光ディスク装置における位置情報検出機能の構成のみを示しており、その他の構成については省略している。
【００１４】
図１において、光ディスク装置１は、光ディスク２に対して回転駆動を行うスピンドルモータ３、光ディスク２に対してデータの読み出し及び書き込みを行う光ピックアップ４、信号検出アンプ５、ＣＤデコーダ６、サブコード検出回路７、ＤＶＤデコーダ８、ＩＤ（Identification Data）検出回路９、ＡＴＩＰデコーダ１０、ＡＴＩＰ検出回路１１、ＬＰＰデコーダ１２、ＬＰＰ検出回路１３、ＡＤＩＰデコーダ１４、ＡＤＩＰ検出回路１５、現在位置検出回路１６、比較器１７、エンコーダ１８及びレーザ駆動回路１９を備えている。更に、光ディスク装置１は、現在位置検出回路１６及びエンコーダ１８等の各部に対する動作制御及び各種設定値の設定を行うＣＰＵ２０を備えている。なお、図１では、ＣＰＵ２０と各部との接続は省略している。
【００１５】
光ピックアップ４は、半導体レーザ、光学系、フォーカスアクチュエータ、トラックアクチュエータ、受光素子、及びポジションセンサ等（図示せず）を内蔵しており、レーザ光を光ディスク２に照射してデータの読み出し及び書き込みを行う。また、この光ピックアップ４は、シークモータ（図示せず）によってスレッジ方向への移動が可能である。これらのフォーカスアクチュエータ、トラックアクチュエータ及びシークモータは、受光素子とポジションセンサから得られる信号に基づいて、レーザ光のスポットが光ディスク２上の目的の場所に位置するように制御される。
【００１６】
信号検出アンプ５は、光ピックアップ４によって読み出されたデータ信号を増幅し２値化した信号を、ＣＤデコーダ６及びＤＶＤデコーダ８にそれぞれ出力し、光ディスク２上にあらかじめ記録されているウォブル信号を、ＡＴＩＰデコーダ１０、ＬＰＰデコーダ１２及びＡＤＩＰデコーダ１４にそれぞれ出力する。
【００１７】
ＣＤデコーダ６は、入力されたデータ信号からＣＤのフォーマットで記録された情報を復調して、サブコード検出回路７に出力する。ＣＤでは、光ディスクに記録された情報におけるサブコードのチャネルＱに、現在の時間情報を示す時間コードが１セクタごとに記録されている。サブコード検出回路７は、入力された情報からサブコード情報の検出を行って、サブコード情報のチャネルＱから時間情報であるサブＱ時間情報ＳＱＴを得ると共に、ＣＲＣ等を用いて該サブＱ時間情報ＳＱＴのエラー検出を行う。更に、サブコード検出回路７は、得られたサブＱ時間情報ＳＱＴ及びエラー検出を行った結果を示すサブＱエラー信号ＳＱＥを現在位置検出回路１６に出力する。
【００１８】
また、ＤＶＤデコーダ８は、入力されたデータ信号からＤＶＤのフォーマットで記録された情報を復調して、ＩＤ検出回路９に出力する。ＩＤ検出回路９は、入力された情報からＩＤ情報の検出を行ってＩＤ情報から光ディスク上の絶対位置情報であるＩＤ位置情報ＩＤＰを得ると共に、ＩＥＤ等を用いて該ＩＤ位置情報ＩＤＰのエラー検出を行う。更に、ＩＤ検出回路９は、得られたＩＤ位置情報ＩＤＰ及びエラー検出を行った結果を示すＩＤエラー信号ＩＤＥを現在位置検出回路１６に出力する。
【００１９】
一方、ＡＴＩＰデコーダ１０は、入力されたウォブル信号からＣＤ−Ｒ／ＲＷのフォーマットで記録されたＡＴＩＰ情報を復調して、ＡＴＩＰ検出回路１１に出力する。ＡＴＩＰ検出回路１１は、入力されたＡＴＩＰ情報から光ディスク上の絶対位置情報をなす絶対時間情報（以下、ＡＴＩＰ時間情報と呼ぶ）ＡＴＩＰＴを得ると共に、ＣＲＣ等を用いて該ＡＴＩＰ時間情報ＡＴＩＰＴのエラー検出を行う。更にＡＴＩＰ検出回路１１は、得られたＡＴＩＰ時間情報ＡＴＩＰＴ及びエラー検出を行った結果を示すＡＴＩＰエラー信号ＡＴＩＰＥを現在位置検出回路１６に出力する。
【００２０】
次に、ＬＰＰデコーダ１２は、入力されたウォブル信号からＤＶＤ−Ｒ／ＲＷのフォーマットで記録されたＬＰＰ情報を復調して、ＬＰＰ検出回路１３に出力する。ＬＰＰ検出回路１３は、入力されたＬＰＰ情報から光ディスク上の絶対位置情報をなすＬＰＰ位置情報ＬＰＰＰを得ると共に、ＥＣＣ等を用いて該ＬＰＰ位置情報ＬＰＰＰのエラー検出を行う。更にＬＰＰ検出回路１３は、得られたＬＰＰ位置情報ＬＰＰＰ及びエラー検出を行った結果を示すＬＰＰエラー信号ＬＰＰＥを現在位置検出回路１６に出力する。
【００２１】
また、ＡＤＩＰデコーダ１４は、入力されたウォブル信号からＤＶＤ＋ＲＷのフォーマットで記録されたＡＤＩＰ情報を復調して、ＡＤＩＰ検出回路１５に出力する。ＡＤＩＰ検出回路１５は、入力されたＡＤＩＰ情報から光ディスク上の絶対位置情報をなすＡＤＩＰ位置情報ＡＤＩＰＰを得ると共に、ＥＣＣ等を用いて該ＡＤＩＰ位置情報ＡＤＩＰＰのエラー検出を行う。更にＡＤＩＰ検出回路１５は、得られたＡＤＩＰ位置情報ＡＤＩＰＰ及びエラー検出を行った結果を示すＡＤＩＰエラー信号ＡＤＩＰＥを現在位置検出回路１６に出力する。
【００２２】
現在位置検出回路１６は、サブＱ時間情報ＳＱＴ、ＩＤ位置情報ＩＤＰ、ＡＴＩＰ時間情報ＡＴＩＰＴ、ＬＰＰ位置情報ＬＰＰＰ及びＡＤＩＰ位置情報ＡＤＩＰＰ、並びに該各情報と対応するエラー検出結果を示すサブＱエラー信号ＳＱＥ、ＩＤエラー信号ＩＤＥ、ＡＴＩＰエラー信号ＡＴＩＰＥ、ＬＰＰエラー信号ＬＰＰＥ及びＡＤＩＰエラー信号ＡＤＩＰＥから、光ディスクの種類によって、扱う情報源を変えて現在位置情報の決定を行う。
【００２３】
すなわち、現在位置検出回路１６は、ＣＤ−Ｒ／ＲＷでは、サブＱ時間情報ＳＱＴ及びＡＴＩＰ時間情報ＡＴＩＰＴ、並びに該各情報に対応したサブＱエラー信号ＳＱＥ及びＡＴＩＰエラー信号ＡＴＩＰＥから現在位置情報の決定を行う。また、現在位置検出回路１６は、ＤＶＤ−Ｒ／ＲＷでは、ＩＤ位置情報ＩＤＰ及びＬＰＰ位置情報ＬＰＰＰ、並びに該各情報に対応したＩＤエラー信号ＩＤＥ及びＬＰＰエラー信号ＬＰＰＥから現在位置情報の決定を行う。同様に、現在位置情報検出回路１６は、ＤＶＤ＋ＲＷでは、ＩＤ位置情報ＩＤＰ及びＡＤＩＰ位置情報ＡＤＩＰＰ、並びに該各情報に対応したＩＤエラー信号ＩＤＥ及びＡＤＩＰエラー信号ＡＤＩＰＥから現在位置情報の決定を行う。
【００２４】
光ディスク２がＣＤ−Ｒ／ＲＷの場合、現在位置検出回路１６は、まずＡＴＩＰエラー信号ＡＴＩＰＥを参照して、ＡＴＩＰ時間情報ＡＴＩＰＴのエラーの有無を調べる。現在位置検出回路１６は、エラーが無い場合には、入力されたＡＴＩＰ時間情報ＡＴＩＰＴを現在位置情報とし、エラーが有る場合は、サブＱエラー信号ＳＱＥを参照し、サブＱ時間情報ＳＱＴのエラーの有無を調べる。サブＱ時間情報ＳＱＴにエラーが無い場合には、サブＱ時間情報ＳＱＴを現在位置情報とする。また、ＡＴＩＰ時間情報ＡＴＩＰＴ及びサブＱ時間情報ＳＱＴの両方でエラーが有る場合は、現在位置検出回路１６は、前のセクタで予測された次セクタの位置情報（すなわち現在の位置情報）を現在位置情報とする。
【００２５】
また、光ディスク２がＤＶＤ−Ｒ／ＲＷの場合、現在位置検出回路１６は、まずＬＰＰエラー信号ＬＰＰＥを参照して、ＬＰＰ位置情報ＬＰＰＰのエラーの有無を調べる。現在位置検出回路１６は、エラーが無い場合には、入力されたＬＰＰ位置情報ＬＰＰＰを現在位置情報とし、エラーが有る場合は、ＩＤエラー信号ＩＤＥを参照し、ＩＤ位置情報ＩＤＰのエラーの有無を調べる。ＩＤ位置情報ＩＤＰにエラーが無い場合には、ＩＤ位置情報ＩＤＰを現在位置情報とする。また、ＬＰＰ位置情報ＬＰＰＴ及びＩＤ位置情報ＩＤＰの両方でエラーが有る場合は、現在位置検出回路１６は、前のセクタで予測された次セクタの位置情報（すなわち現在の位置情報）を現在位置情報とする。
【００２６】
同様に、光ディスク２がＤＶＤ＋ＲＷの場合、現在位置検出回路１６は、まずＡＤＩＰエラー信号ＡＤＩＰＥを参照して、ＡＤＩＰ位置情報ＡＤＩＰＰのエラーの有無を調べる。現在位置検出回路１６は、エラーが無い場合には、入力されたＡＤＩＰ位置情報ＡＤＩＰＰを現在位置情報とし、エラーが有る場合は、ＩＤエラー信号ＩＤＥを参照し、ＩＤ位置情報ＩＤＰのエラーの有無を調べる。ＩＤ位置情報ＩＤＰにエラーが無い場合には、ＩＤ位置情報ＩＤＰを現在位置情報とする。また、ＡＤＩＰ位置情報ＡＤＩＰＴ及びＩＤ位置情報ＩＤＰの両方でエラーが有る場合は、現在位置検出回路１６は、前のセクタで予測された次セクタの位置情報（すなわち現在の位置情報）を現在位置情報とする。
【００２７】
このようにして、現在位置検出回路１６で検出された現在位置情報は、現在位置を示す現在時間情報ＣＴＩＭＥとして比較器１７に出力され、比較器１７は、入力された現在時間情報ＣＴＩＭＥと、ＣＰＵ２０によって設定された記録開始目標位置を示す目標時間情報ＴＴＩＭＥとの比較を行い、該比較結果をエンコーダ１８に出力する。また、現在位置検出回路１６は、光ディスク２に対する書き込み処理中に、光ディスク装置１に外部から振動が加わったり、光ディスク２上の傷又はごみ等の影響でレーザビームが所定のトラックから他のトラックにジャンプするといった異常が生じた場合、該異常を検出して所定のエラー信号である連続性異常信号ＳＥをエンコーダ１８に出力する。
【００２８】
エンコーダ１８は、比較器１７から入力された比較結果が、現在時間情報ＣＴＩＭＥと目標時間情報ＴＴＩＭＥとの一致を示していた場合、外部のホストコンピュータ等から入力された光ディスク２に書き込むための書き込みデータを所定の方法でエンコードして出力する書き込み処理を行い、エンコーダ１８から出力されたデータは、レーザコントロール回路１９、光ピックアップ４を介して、光ディスク２に記録される。また、エンコーダ１８は、現在位置検出回路１６から連続性異常信号ＳＥが入力されると、上記書き込み処理を停止する。
【００２９】
ここで、図２は、現在位置検出回路１６の回路構成の例を示したブロック図であり、図２を用いて現在位置検出回路１６の動作についてもう少し詳細に説明する。
図２において、現在位置検出回路１６は、４つのマルチプレクサ２１〜２４、復調ディレイ補正回路２５、現在時間情報ＣＴＩＭＥを保持する現在時間情報レジスタ２６、次のセクタ位置情報の予測を行う次セクタ位置情報予測回路２７、比較器２８、レジスタ２９、２つのＡＮＤ回路３０，３１、ＮＡＮＤ回路３２、及び２つのインバータ３３，３４で構成されている。
【００３０】
第１マルチプレクサ２１は、サブＱ時間情報ＳＱＴ、ＩＤ位置情報ＩＤＰ、ＡＴＩＰ時間情報ＡＴＩＰＴ、ＬＰＰ位置情報ＬＰＰＰ及びＡＤＩＰ位置情報ＡＤＩＰＰが入力される。第１マルチプレクサ２１は、ＣＰＵ２０からの制御信号に応じて、サブＱ時間情報ＳＱＴ又はＩＤ位置情報ＩＤＰのいずれかを記録データ内位置情報ＤＩＰとして復調ディレイ補正回路２５に出力すると共に、ＡＴＩＰ時間情報ＡＴＩＰＴ、ＬＰＰ位置情報ＬＰＰＰ又はＡＤＩＰ位置情報ＡＤＩＰＰのいずれか１つをプリグルーブ内位置情報ＰＩＰとして復調ディレイ補正回路２５に出力する。
【００３１】
復調ディレイ補正回路２５は、第１マルチプレクサ２１から入力された記録データ内位置情報ＤＩＰ及びプリグルーブ内位置情報ＰＩＰに対して、該各情報が対応するデコーダで復調される際に発生する遅延を補正して、第３マルチプレクサ２４に出力する。この際、復調ディレイ補正回路２５は、入力された記録データ内位置情報ＤＩＰ及びプリグルーブ内位置情報ＰＩＰに対してＣＰＵ２０からの制御信号に応じた補正を行う。このようにすることによって、復調ディレイ補正回路２５は、入力された記録データ内位置情報ＤＩＰ及びプリグルーブ内位置情報ＰＩＰに応じた補正を行うことができる。
【００３２】
また、第２マルチプレクサ２２は、サブＱエラー信号ＳＱＥ、ＩＤエラー信号ＩＤＥ、ＡＴＩＰエラー信号ＡＴＩＰＥ、ＬＰＰエラー信号ＬＰＰＥ及びＡＤＩＰエラー信号ＡＤＩＰＥが入力される。第２マルチプレクサ２２は、ＣＰＵ２０からの制御信号に応じて、サブＱエラー信号ＳＱＥ又はＩＤエラー信号ＩＤＥのいずれかを記録データ内エラー信号ＤＩＥとして出力すると共に、ＡＴＩＰエラー信号ＡＴＩＰＥ、ＬＰＰエラー信号ＬＰＰＥ又はＡＤＩＰエラー信号ＡＤＩＰＥのいずれか１つをプリグルーブ内エラー信号ＰＩＥとして出力する。該記録データ内エラー信号ＤＩＥは、ＡＮＤ回路３０の一方の入力端及びＮＡＮＤ回路３２の一方の入力端にそれぞれ出力されると共に、プリグルーブ内エラー信号ＰＩＥは、ＡＮＤ回路３０の他方の入力端、ＮＡＮＤ回路３２の他方の入力端及びインバータ３３を介して第３マルチプレクサ２３の制御信号入力端にそれぞれ出力される。
【００３３】
例えば、光ディスク２がＣＤ−Ｒ／ＲＷの場合、ＣＰＵ２０は、第１マルチプレクサ２１に対して、サブＱ時間情報ＳＱＴを記録データ内位置情報ＤＩＰとして出力させると共に、ＡＴＩＰ時間情報ＡＴＩＰＴをプリグルーブ内位置情報ＰＩＰとして出力させる。更に、ＣＰＵ２０は、第２マルチプレクサ２２に対して、サブＱエラー信号ＳＱＥを記録データ内エラー信号ＤＩＥとして選択させると共に、ＡＴＩＰエラー信号ＡＴＩＰＥをプリグルーブ内エラー信号ＰＩＥとして選択させる。
【００３４】
また、光ディスク２がＤＶＤ−Ｒ／ＲＷの場合、ＣＰＵ２０は、第１マルチプレクサ２１に対して、ＩＤ位置情報ＩＤＰを記録データ内位置情報ＤＩＰとして選択させると共に、ＬＰＰ位置情報ＬＰＰＰをプリグルーブ内位置情報ＰＩＰとして選択させる。更に、ＣＰＵ２０は、第２マルチプレクサ２２に対して、ＩＤエラー信号ＩＤＥを記録データ内エラー信号ＤＩＥとして選択させると共に、ＬＰＰエラー信号ＬＰＰＥをプリグルーブ内エラー信号ＰＩＥとして選択させる。
【００３５】
更に、光ディスク２がＤＶＤ＋ＲＷの場合、ＣＰＵ２０は、第１マルチプレクサ２１に対して、ＩＤ位置情報ＩＤＰを記録データ内位置情報ＤＩＰとして選択させると共に、ＡＤＩＰ位置情報ＡＤＩＰＰをプリグルーブ内位置情報ＰＩＰとして選択させる。更に、ＣＰＵ２０は、第２マルチプレクサ２２に対して、ＩＤエラー信号ＩＤＥを記録データ内エラー信号ＤＩＥとして選択させると共に、ＡＤＩＰエラー信号ＡＤＩＰＥをプリグルーブ内エラー信号ＰＩＥとして選択させる。
【００３６】
第３マルチプレクサ２３は、インバータ３３を介して入力されたプリグルーブ内エラー信号ＰＩＥに応じて、復調ディレイ補正回路２５で補正された記録データ内位置情報ＤＩＰとプリグルーブ内位置情報ＰＩＰのいずれかを第４マルチプレクサ２４及び比較器２８にそれぞれ出力する。すなわち、第３マルチプレクサ２３は、入力されたプリグルーブ内エラー信号ＰＩＥが例えばＬｏｗレベルでエラーが無いことを示している場合、復調ディレイ補正回路２５から入力されたプリグルーブ内位置情報ＰＩＰを第４マルチプレクサ２４及び比較器２８にそれぞれ出力する。また、第３マルチプレクサ２３は、入力されたプリグルーブ内エラー信号ＰＩＥが例えばＨｉｇｈレベルでエラーが有ることを示している場合、復調ディレイ補正回路２５から入力された記録データ内位置情報ＤＩＰを第４マルチプレクサ２４及び比較器２８にそれぞれ出力する。
【００３７】
第４マルチプレクサ２４は、第３マルチプレクサ２３から出力された位置情報と、次セクタ位置情報予測回路２７から出力された予測位置情報がそれぞれ入力されており、ＡＮＤ回路３０の出力信号に応じて、入力された該各位置情報のいずれか一方を現在時間情報レジスタ２６に出力する。ここで、ＡＮＤ回路３０は、入力された記録データ内エラー信号ＤＩＥ及びプリグルーブ内エラー信号ＰＩＥが共にエラーが有ることを示してＨｉｇｈレベルである場合は、出力端がＨｉｇｈレベルとなり、記録データ内エラー信号ＤＩＥ及びプリグルーブ内エラー信号ＰＩＥの少なくとも一方にエラーが無いことを示してＬｏｗレベルである場合、出力端がＬｏｗレベルとなる。
【００３８】
第４マルチプレクサ２４は、ＡＮＤ回路３０の出力信号がＬｏｗレベルである場合、第３マルチプレクサ２３から入力された位置情報を現在時間情報レジスタ２６に出力する。これに対して、ＡＮＤ回路３０の出力信号がＨｉｇｈレベルである場合、第４マルチプレクサ２４は、次セクタ位置情報予測回路２７から入力された予測位置情報を現在時間情報レジスタ２６に出力する。現在時間情報レジスタ２６は、入力された位置情報を保持すると共に現在位置を示す現在時間情報ＣＴＩＭＥとして出力する。このような現在時間情報レジスタ２６に現在時間情報が格納される動作が、光ディスクの所定のフォーマットにおける１セクタごとに行われる。
【００３９】
一方、次セクタ位置情報予測回路２７は、現在時間情報レジスタ２６に保持された現在時間情報ＣＴＩＭＥに、１セクタ分の時間を加えた次セクタの予測時間情報ＮＴＩＭＥを出力する。次セクタ位置情報予測回路２７から出力された予測時間情報ＮＴＩＭＥは、第４マルチプレクサ２４及び比較器２８にそれぞれ出力される。比較器２８は、第３マルチプレクサ２３から出力された位置情報と、次セクタ位置情報予測回路２７から出力された予測位置情報との比較を行い、一致するとＨｉｇｈレベルの信号を出力し、一致しなかった場合はＬｏｗレベルの信号を出力する。比較器２８から出力された比較結果は、インバータ３４を介してＡＮＤ回路３１の一方の入力端に入力される。
【００４０】
ＡＮＤ回路３１の他方の入力端には、ＮＡＮＤ回路３２の出力信号が入力され、ＮＡＮＤ回路３２は、第２マルチプレクサ２２から出力される記録データ内エラー信号ＤＩＥ及びプリグルーブ内エラー信号ＰＩＥが、共にエラーを検出したことを示すＨｉｇｈレベルのとき、Ｌｏｗレベルの信号を出力する。また、ＮＡＮＤ回路３２は、記録データ内エラー信号ＤＩＥ及びプリグルーブ内エラー信号ＰＩＥの少なくとも一方の信号が、エラーを検出していないことを示すＬｏｗレベルのとき、Ｈｉｇｈレベルの信号を出力する。
【００４１】
このことから、記録データ内エラー信号ＤＩＥとプリグルーブ内エラー信号ＰＩＥのいずれか一方がエラー無しを示すＬｏｗレベルであり、かつ比較器２８の出力端が不一致を示すＬｏｗレベルである場合、ＡＮＤ回路３１の出力端は、記録データ内位置情報ＤＩＰ及びプリグルーブ内位置情報ＰＩＰのいずれか一方がエラー無く検出されたにもかかわらず、該位置情報が、次セクタ位置情報予測回路２７で生成された予測位置情報と一致しないことを認知してＨｉｇｈレベルとなる。ＡＮＤ回路３１のＨｉｇｈレベルの信号は、レジスタ２９を介してエラー信号である連続性異常信号ＳＥとしてエンコーダ１８に出力され、エンコーダ１８は上記書き込み処理を停止する。
【００４２】
このように、光ディスク装置に外部から振動が加わったり、光ディスク上の傷、ゴミ等の影響でレーザビームが所定トラックから別のトラックにジャンプしてしまうような異常を上記連続性異常信号ＳＥで検知して、エンコーダ１８の書き込み処理を停止することができ、記録情報の信頼性を向上させることが可能となる。
【００４３】
このような構成において、ＡＴＩＰ時間情報ＡＴＩＰＴ及びサブＱ時間情報ＳＱＴにおける各エラー情報としては、それぞれのフォーマットのＣＲＣコードを使用することによって、光ディスク２に記録された情報の影響でウォブル信号のＳ／Ｎ比が低下し、ＡＴＩＰ情報の復調誤りが生じやすくなった場合においても、記録開始目標位置からの記録処理を確実に行うことができる。また、ＡＴＩＰ時間情報ＡＴＩＰＴ及びサブＱ時間情報ＳＱＴの両方でエラーが有る場合は、次セクタ位置情報予測回路２７により前のセクタで予測された次セクタの位置情報（すなわち現在の位置情報）を現在位置情報とする。このようにすることによって、ＡＴＩＰ時間情報ＡＴＩＰＴ及びサブＱ時間情報ＳＱＴ共に復調状態が悪い場合においても記録開始目標位置からの記録処理を確実に行うことができる。
【００４４】
一方、ＡＴＩＰ情報及びサブコード情報にはそれぞれ時間情報以外のデータが存在するが、これらのデータが正常に復調された場合、ＣＲＣ等によるエラー検出結果はエラー無しとなる。しかしこの場合、ＣＲＣ結果がエラー有りの場合と同等の判断を行い、時間情報以外のデータを次セクタ位置情報予測回路２７の予測時間情報ＮＴＩＭＥを用いて時間情報に変換する必要がある。このようにすることによって、時間情報以外のデータを含んだ、ＡＴＩＰ時間情報ＡＴＩＰＴ及びサブＱ時間情報ＳＱＴにおいても、記録開始目標位置からの記録処理を確実に行うことができる。
【００４５】
次に、サブＱ時間情報ＳＱＴ、ＩＤ位置情報ＩＤＰ、ＡＴＩＰ時間情報ＡＴＩＰＴ、ＬＰＰ位置情報ＬＰＰＰ及びＡＤＩＰ位置情報ＡＤＩＰＰに対して復調ディレイ補正回路２５で行われる復調ディレイの補正について説明する。
図３は、光ディスク２上の位置に対する復調ディレイと現在位置検出回路１６の処理内容を示した波形例を示している。なお、図３で、ＣＤセクタ番号と示した図は、ＣＤの光ディスク上の記録データに示された時間情報におけるセクタ番号を、ＤＶＤセクタ番号と示した図は、ＤＶＤの光ディスク上の記録データに示された位置情報におけるセクタ番号を示している。
【００４６】
図３において、サブＱ時間情報ＳＱＴ及びＡＴＩＰ時間情報ＡＴＩＰＴは、それぞれ２４ビットで構成され、データエリアの先頭は例えば「０３分：００秒：００フレーム」で、１セクタごとに更新される。なお、図３では、「０３分：００秒：００フレーム」を「０３００００」、「０３分：００秒：０１フレーム」を「０３０００１」というように示している。第１マルチプレクサ２１に入力されるサブＱ時間情報ＳＱＴ及びＡＴＩＰ時間情報ＡＴＩＰＴは、光ディスク２上に記録された記録データ内位置情報ＤＩＰのセクタ番号から１セクタ遅れている。このため、復調ディレイ補正回路２５は、記録データ内位置情報ＤＩＰとしてサブＱ時間情報ＳＱＴが入力されると共にプリグルーブ内位置情報ＰＩＰとしてＡＴＩＰ時間情報ＡＴＩＰＴが入力されると、それぞれ１セクタの遅れを補正して第３マルチプレクサ２３に出力する。
【００４７】
また、ＤＶＤフォーマットにおけるＩＤ位置情報ＩＤＰは、２４ビットで構成され、データエリアの先頭は例えば「０３００００ｈ」で、１セクタごとに更新される。また、ＤＶＤではＥＣＣブロック（エラー訂正単位）が１６セクタとして決められており、ＩＤ位置情報ＩＤＰもＥＣＣブロック内の最初のセクタ番号は１６の倍数となっている。ＥＣＣブロック単位が１６セクタとして決められているため、ＩＤ位置情報ＩＤＰを光ディスク上の位置として用いる場合は、その復調ディレイの考慮も必要となる。
【００４８】
すなわち、図３から分かるように、ＩＤ位置情報ＩＤＰは、光ディスク２上に記録された記録データ内位置情報ＤＩＰのセクタ番号から１６セクタ遅れていることが分かる。このため、復調ディレイ補正回路２５は、第１マルチプレクサ２１から入力されたＩＤ位置情報ＩＤＰに対して１６セクタの遅れを補正して第３マルチプレクサ２３に出力する。
【００４９】
次に、ＤＶＤ−Ｒ／ＲＷのＬＰＰ位置情報ＬＰＰＰは、２０ビットで構成され、データエリアの先頭は例えば「００３０００ｈ」で、１６セクタごとに更新される。また、ＬＰＰの位置情報であるＥＣＣブロックアドレス(３バイト)を含むプリピットブロックは１６セクタで１ブロックが構成される。すなわち、ＩＤ位置情報ＩＤＰで示された光ディスク上の位置情報における「０３００００ｈ」〜「０３０００Ｆｈ」の１６セクタは、ＬＰＰ位置情報ＬＰＰＰでは「００３０００ｈ」と示され、「０３００１０ｈ」〜「０３００１Ｆｈ」の１６セクタは、ＬＰＰ位置情報ＬＰＰＰでは「００３００１ｈ」と示される。
【００５０】
ＬＰＰ位置情報ＬＰＰＰを用いて、１セクタ単位で書き込み処理を行うためには、ＬＰＰ位置情報ＬＰＰＰを４ビットシフトし、ＬＰＰ検出回路１３は、ＬＰＰの位置情報を含むプリピットブロックの先頭ブロックのみエラー無しとし、以降の１５セクタはエラー有りとして、位置情報とエラー情報を現在位置検出回路１６に与える。例えば、ＬＰＰ位置情報ＬＰＰＰを４ビットシフトするために、現在位置検出回路１６の第１マルチプレクサ２１には、ＬＰＰ検出回路１３からのＬＰＰ位置情報ＬＰＰＰである２０ビットに、配線等で接地させた４ビットが下位に付加された２４ビットのデータ信号が入力される。
【００５１】
このようにすることで、例えばＬＰＰ位置情報ＬＰＰＰが「００３０００ｈ」の場合、４ビットシフトし、先頭ブロックはエラー無しとする。このことによって、現在位置情報として「０３００００ｈ」が格納され、以降のＬＰＰ位置情報ＬＰＰＰが「００３００１ｈ」になるまでの残り１５セクタは、エラー有りとすることにより該１５セクタ間は、次セクタ位置情報予測回路２７で算出された位置情報を現在位置とする。
【００５２】
更に、次のプリピットブロックの先頭ブロックは、４ビットシフトして再びエラー無しとし、現在位置として格納する。このような処理の繰り返しにより、ＬＰＰ位置情報ＬＰＰＰを用いた１セクタ単位での書き込み位置の制御が可能となる。ただし、言うまでもなく先頭ブロックにおいても、実際のエラー検出結果がエラーの場合は、エラー有りとする。また、ＬＰＰ位置情報ＬＰＰＰのエラー検出単位は１６セクタとして決められているため、ＬＰＰ位置情報ＬＰＰＰを光ディスク上の位置情報として用いる場合は、その復調ディレイの考慮も必要となる。
【００５３】
すなわち、図３から分かるように、ＬＰＰ位置情報ＬＰＰＰは、光ディスク２上に記録された記録データ内位置情報ＤＩＰのセクタ番号から１６セクタ遅れていることが分かる。このため、復調ディレイ補正回路２５は、第１マルチプレクサ２１から入力されたＬＰＰ位置情報ＬＰＰＰに対して１６セクタの遅れを補正して第３マルチプレクサ２３に出力する。
【００５４】
次に、ＤＶＤ＋ＲＷのＡＤＩＰ位置情報ＡＤＩＰＰは、２２ビットで構成され、データエリアの先頭では例えば「００Ｃ０００ｈ」で、４セクタごとに更新される。また、ＡＤＩＰの位置情報である物理アドレス（Physical Address）(２２ビット)を含むＡＤＩＰワード（Word）は４セクタで１ワードが構成される。すなわち、ＩＤ位置情報ＩＤＰで示される光ディスク上の位置情報で「０３００００ｈ」〜「０３０００３ｈ」の４セクタは、ＡＤＩＰ位置情報ＡＤＩＰＰでは「００Ｃ０００ｈ」と示され、「０３０００４ｈ」〜「０３０００７ｈ」の４セクタは、ＡＤＩＰ位置情報ＡＤＩＰＰでは「００Ｃ００１ｈ」と示される。
【００５５】
このため、ＡＤＩＰ位置情報ＡＤＩＰＰを用いて１セクタ単位で書き込み処理を行うためには、所定の方法でＡＤＩＰ位置情報ＡＤＩＰＰを２ビットシフトし、ＡＤＩＰ検出回路１５は、ＡＤＩＰの位置情報を含むＡＤＩＰワードの先頭ワードのみエラー無しとし、以降の３セクタはエラー有りとして、ＡＤＩＰ位置情報ＡＤＩＰＰとＡＤＩＰエラー情報ＡＤＩＰＥを現在位置検出回路１６に与える。例えば、ＡＤＩＰ位置情報ＡＤＩＰＰを２ビットシフトするために、現在位置検出回路１６の第１マルチプレクサ２１には、ＡＤＩＰ検出回路１５からのＡＤＩＰ位置情報ＡＤＩＰＰである２２ビットに、配線等で接地させた２ビットが下位に付加された２４ビットのデータ信号が入力される。
【００５６】
このようにすることで、例えばＡＤＩＰ位置情報ＡＤＩＰＰが「００Ｃ０００ｈ」の場合、２ビットシフトし、先頭ワードはエラー無しとすることで、現在位置情報として「０３００００ｈ」が格納される。それ以降のＡＤＩＰ位置情報ＡＤＩＰＰが「００Ｃ００１ｈ」になるまでの残り３セクタは、エラー有りとすることにより３セクタ間は、次セクタ位置情報予測回路２７で算出された位置情報を現在位置とする。
【００５７】
更に、次のＡＤＩＰワードの先頭ワードは、２ビットシフトされ、再びエラー無しとして、現在位置情報として格納される。このような処理の繰り返しにより、ＡＤＩＰ位置情報ＡＤＩＰＰを用いて１セクタ単位での書き込み位置の制御が可能となる。ただし、言うまでもなく、先頭ワードにおいても、実際のエラー検出結果がエラーの場合は、エラー有りとする。また、ＡＤＩＰ位置情報ＡＤＩＰＰのエラー検出単位は４セクタとして決められているため、ＡＤＩＰ位置情報ＡＤＩＰＰを光ディスク上の位置情報として用いる場合は、その復調ディレイの考慮も必要となる。
【００５８】
すなわち、図３から分かるように、ＡＤＩＰ位置情報ＡＤＩＰＰは、光ディスク２上に記録された記録データ内位置情報ＤＩＰのセクタ番号から４セクタ遅れていることが分かる。このため、復調ディレイ補正回路２５は、第１マルチプレクサ２１から入力されたＡＤＩＰ位置情報ＡＤＩＰＰに対して４セクタの遅れを補正して第３マルチプレクサ２３に出力する。
【００５９】
このように、ＩＤ位置情報ＩＤＰ、ＬＰＰ位置情報ＬＰＰＰ、ＡＤＩＰ位置情報ＡＤＩＰＰ共に、扱う単位を１セクタ単位とすることで、ＤＶＤ−Ｒ／ＲＷの場合はＩＤ位置情報ＩＤＰ、ＬＰＰ位置情報ＬＰＰＰ及びそれらのエラー情報を用い、またＤＶＤ＋ＲＷの場合はＩＤ位置情報ＩＤＰ、ＡＤＩＰ位置情報ＡＤＩＰＰ及びそれらのエラー情報を用いることで、ＣＤ−Ｒ／ＲＷの位置情報処理及び書き込み処理と同様の処理が、ＤＶＤ−Ｒ／ＲＷ、ＤＶＤ＋ＲＷでも可能となる。更に、ＩＤ位置情報ＩＤＰ、ＬＰＰ位置情報ＬＰＰＰ、ＡＤＩＰ位置情報ＡＤＩＰＰともそれらの復調ディレイを設定可能とすることで、汎用性を高めることが可能となる。
【００６０】
上記のように、本実施の形態における光ディスク装置は、ＬＰＰ検出回路１３から出力されるＬＰＰ位置情報ＬＰＰＰに対して配線等で接地させた４ビットを下位に付加してシフトし、ＡＤＩＰ検出回路１５から出力されるＡＤＩＰ位置情報ＡＤＩＰＰに対しては配線等で接地させた２ビットを下位に付加してシフトすると共に、ＬＰＰ検出回路１３はプリピットブロックの先頭ブロックのみを、ＡＤＩＰ検出回路１５はＡＤＩＰワードの先頭ワードのみをそれぞれエラー無しとし、それ以外をエラー有りとして次セクタ位置情報予測回路２７で算出された位置情報を現在位置とするようにした。更に、サブＱ時間情報ＳＱＴ、ＩＤ位置情報ＩＤＰ、ＡＴＩＰ時間情報ＡＴＩＰＴ、ＬＰＰ位置情報ＬＰＰＰ及びＡＤＩＰ位置情報ＡＤＩＰＰの復調ディレイを復調ディレイ補正回路２５で補正するようにした。
【００６１】
これらのことから、ＣＤ−Ｒ／ＲＷの位置情報処理及び書き込み処理と同様の処理をＤＶＤ−Ｒ／ＲＷ及びＤＶＤ＋ＲＷでも行うことができると共に、ＩＤ位置情報ＩＤＰ、ＬＰＰ位置情報ＬＰＰＰ、ＡＤＩＰ位置情報ＡＤＩＰＰともそれらの復調ディレイを設定することができるため、ＣＤ−Ｒ／ＲＷ、ＤＶＤ−Ｒ／ＲＷ、ＤＶＤ＋ＲＷといった書き込み可能な光ディスクに対してそれぞれデータの再生及び記録を行うことができ、汎用性を高めることができる。また、ＬＰＰ位置情報ＬＰＰＰ及びＡＤＩＰ位置情報ＡＤＩＰＰをシフトさせる際、配線等で接地させた各ビットを下位に付加してシフトさせるようにしたことから、記録データ内位置情報ＤＩＰ及びプリグルーブ内位置情報ＰＩＰの復調を行う、各種光ディスクに対応した汎用品のＩＣをそのまま使用することができる。
【００６２】
【発明の効果】
上記の説明から明らかなように、本発明の光ディスク装置によれば、絶対位置情報復調部で復調された絶対位置情報及びデータ復調部で復調された記録データ内位置情報に対して、復調時に生じた遅延を光ディスクのデータフォーマットに応じて補正するようにした。このことから、ＣＤにおける位置情報処理及び書き込み処理と同様の処理をＤＶＤでも行うことができると共に、ＤＶＤの各種規格に準拠した絶対位値情報及び記録データ内位置情報ともそれらの復調時の遅延を設定することができるため、ＣＤ及びＤＶＤの各種規格に準じた書き込み可能な光ディスクに対してそれぞれデータの再生及び記録を行うことができ、汎用性を高めることができる。
【００６３】
更に、光ディスクのデータフォーマットに応じて絶対位置情報をなすビットデータをシフトさせるようにしたことから、ＤＶＤの各種規格に準拠した光ディスクに対してＣＤにおける位置情報処理及び書き込み処理と同様の処理を行うことができる。
【００６４】
具体的には、絶対位置情報及び記録データ内位置情報の内、各信頼性情報からエラーが検出されなかった位置情報を現在位置情報とした。このことから、自動的にエラーの無い位置情報を現在位置情報として目標位置からの書き込み処理を行うことができ、該処理を行わせていたＣＰＵ等の負荷を軽減することができる。
【００６５】
また、具体的には、絶対位置情報及び記録データ内位置情報にそれぞれエラーが検出されると、前回決定した現在位置情報から所定の方法で算出した位置情報を現在位置情報とするようにした。このことから、常に現在位置の決定を行うことができる。
【００６６】
また、ＤＶＤのデータフォーマットに準じた所定のデータ群における先頭データ後に続く各データの位置を示したそれぞれの絶対位置情報及び記録データ内位置情報に対してエラーが有ることを示す信頼性情報をそれぞれ生成するようにした。このことから、ＤＶＤの各種規格に準拠した光ディスクに対してＣＤにおける位置情報処理と同様の処理を行うことができる。
【００６７】
更に、エラーが検出されなかった位置情報が、上記所定の方法で算出した位置情報と異なる場合、光ディスクへのデータ書き込み動作を禁止するようにした。このことから、光ディスクに対する書き込み処理中に、光ディスク装置に外部から振動が加わったり、光ディスク上の傷、ゴミ等の影響でレーザビームが所定のトラックから別のトラックにジャンプしてしまうような異常が生じた場合に、情報の記録が適切に行われなかったり、又は別のトラックの記録済みの情報に上書きを行う等の不具合の発生を防止することができ、記録情報の信頼性を向上させることができる。
【００６８】
具体的には、上記光ディスクは、ＣＤ−Ｒ、ＣＤ−ＲＷ、ＤＶＤ−Ｒ、ＤＶＤ−ＲＷ又はＤＶＤ＋ＲＷのいずれかの規格に準じるものであり、ＣＤ及びＤＶＤの各種規格に準じた書き込み可能な光ディスクに対してそれぞれデータの再生及び記録を行うことができ、汎用性を高めることができる。
【図面の簡単な説明】
【図１】  本発明の実施の形態における光ディスク装置の構成例を示したブロック図である。
【図２】  図１の現在位置検出回路１６の回路構成例を示したブロック図である。
【図３】  光ディスク２上の位置に対する復調ディレイと現在位置検出回路１６の処理内容を示す波形例を示した図である。
【符号の説明】
１  光ディスク装置
２  光ディスク
４  光ピックアップ
５  信号検出アンプ
６  ＣＤデコーダ
７  サブコード検出回路
８  ＤＶＤデコーダ
９  ＩＤ検出回路
１０  ＡＴＩＰデコーダ
１１  ＡＴＩＰ検出回路
１２  ＬＰＰデコーダ
１３  ＬＰＰ検出回路
１４  ＡＤＩＰデコーダ
１５  ＡＤＩＰ検出回路
１６  現在位置検出回路
１７  比較器
１８  エンコーダ
１９  レーザ駆動回路
２１〜２４  マルチプレクサ
２５  復調ディレイ補正回路
２７  次セクタ位置情報予測回路
【図１】
0003836307.tif 000002
【図２】
0003836307.tif 000003
【図３】
0003836307.tif 000004